(57)【要約】  優れた調湿効果を奏する調湿補助具を提供する。弦楽器の胴体部に設けられたサウンドホールを覆った状態で取り付けられる調湿補助具１００であって、サウンドホールを覆う蓋部１０と、蓋部１０の裏面側に設けられ、胴体部の調湿を行う調湿シートを保持する調湿シート保持部分３０を備えた枠部２０と、を有する。
2019168120.tif 000002
【特許請求の範囲】
【請求項１】
弦楽器の胴体部に設けられたサウンドホールを覆った状態で取り付けられる調湿補助具であって、
前記サウンドホールを覆う蓋部と、
前記蓋部の裏面側に設けられ、前記胴体部の調湿を行う調湿シートを保持する調湿シート保持部分を備えた枠部と、
を有することを特徴とする調湿補助具。
【請求項２】
前記調湿補助具はシリコーンゴム製である請求項１に記載の調湿補助具。
【請求項３】
前記調湿補助具は、前記サウンドホールに密着した状態で取り付けられる請求項１または２に記載の調湿補助具。
【請求項４】
前記弦楽器はギター、ウクレレ、バイオリン、ビオラ、チェロまたはコントラバスである請求項１〜３の何れか一項に記載の調湿補助具。
【請求項５】
前記サウンドホールは、円形またはｆ字形である請求項１〜４の何れか一項に記載の調湿補助具。
【請求項６】
調湿補助具と調湿シートとを備えた調湿部材であって、
前記調湿補助具は、請求項１〜５の何れか一項に記載の調湿補助具であることを特徴とする調湿部材。
【請求項７】
前記調湿シートは、２枚の基材シートの間に、多数のシリカゲルの粒が層状に分布した調湿層が形成されてなる請求項６に記載の調湿部材。
【請求項８】
前記調湿シートは、調湿センサーを備えている請求項６または７に記載の調湿部材。
【請求項９】
弦楽器の胴体部に設けられたサウンドホールを覆った状態で、調湿シートを保持した調湿補助具を取り付けて弦楽器の調湿を行う調湿方法であって、
前記調湿補助具は、請求項１〜５の何れか一項に記載の調湿補助具であることを特徴とする調湿方法。
【請求項１０】
前記調湿シートに予め水分を噴霧し、これを前記調湿シート保持部分にセットして弦楽器の調湿を行う請求項９に記載の調湿方法。
【発明の詳細な説明】
【技術分野】
【０００１】
本発明は、ギターやバイオリン等の弦楽器の胴体部に設けられたサウンドホール（いわゆる共鳴孔）を覆う状態で取り付けられる調湿補助具、調湿部材及びそれを用いた調湿方法に関する。
【背景技術】
【０００２】
アコースティックギター、クラシックギター、フォークギター等の弦楽器の胴体部（ボディ）は、木材を箱状に組立てることで形成されている。この木材は非常に薄いため、保管時等において湿度の影響を受けやすい。弦楽器の胴体部が湿度の影響を受けると、表面板の形状やネックの角度が変わってしまう場合があり、最悪の場合は胴体部（ボディ）の割れ等の問題が生じ、弦楽器の演奏に支障をきたしてしまう。【０００３】
この問題を解決するため、この出願人は、調湿シートをギターのサウンドホールを覆う大きさの形状とし、切欠き及びタグ部を設け、これらをサウンドホールからギターの胴体部の内部に差し込むようにして取り付ける楽器用調湿シートを提案した（特許文献１）。
【先行技術文献】
【特許文献】
【０００４】
【特許文献１】特開２０１６−２０６５５２号公報
【発明の概要】
【発明が解決しようとする課題】
【０００５】
しかしながら、上記特許文献１に記載の楽器用調湿シートは、湿度が低く乾燥しがちな冬場において、胴体部の割れを充分に防ぐことができず、調湿効果の点で改良の余地があった。【０００６】
本発明は、上記の課題に鑑み、優れた調湿効果を期待できる調湿補助具、調湿部材及びそれを用いた調湿方法を提供する。
【課題を解決するための手段】
【０００７】
本発明の一態様に係る調湿補助具は、弦楽器の胴体部に設けられたサウンドホールを覆った状態で取り付けられる調湿補助具であって、前記サウンドホールを覆う蓋部と、前記蓋部の裏面側に設けられ、前記胴体部の調湿を行う調湿シートを保持する調湿シート保持部分を備えた枠部と、を有することを特徴としている。【０００８】
本発明の別の態様に係る調湿部材は、調湿補助具と調湿シートとを備えた調湿部材であって、前記調湿補助具は、前述の調湿補助具であることを特徴としている。【０００９】
本発明の別の態様に係る調湿方法は、弦楽器の胴体部に設けられたサウンドホールを覆った状態で、調湿シートを保持した調湿補助具を取り付けて弦楽器の調湿を行う調湿方法であって、前記調湿補助具は、前述の調湿補助具であることを特徴としている。
【発明の効果】
【００１０】
本発明の一態様に係る調湿補助具は、弦楽器に対して優れた調湿効果を期待することができる。
【図面の簡単な説明】
【００１１】
【図１】本発明の実施形態に係る調湿補助具の正面図である。
【図２】本発明の実施形態に係る調湿補助具の背面図（裏面図）である。
【図３】本発明の実施形態に係る調湿補助具の側面図である。
【図４】本発明の実施形態に係る調湿補助具の平面図である。
【図５】本発明の実施形態に係る調湿補助具の底面図である。
【図６】図１に示した調湿補助具のＡ−Ａ′線断面図である。
【図７】図１に示した調湿補助具のＢ−Ｂ′線断面図である。
【図８】本発明の実施形態に係る調湿補助具の取付け対象となるギターの斜視図である。
【図９】本発明の実施形態に係る調湿補助具に使用する調湿シートの概略構成を示す断面図である。
【図１０】本発明の実施形態に係る調湿補助具の取付け対象となるバイオリンの正面図である。
【発明を実施するための形態】
【００１２】
＜概要＞
本発明の一態様に係る調湿補助具は、弦楽器の胴体部に設けられたサウンドホールを覆った状態で取り付けられる調湿補助具であって、前記サウンドホールを覆う蓋部と、前記蓋部の裏面側に設けられ、前記胴体部の調湿を行う調湿シートを保持する調湿シート保持部分を備えた枠部と、を有することを特徴としている。これにより、ギター等の弦楽器に対して優れた調湿効果を奏する。
【００１３】
別態様に係る調湿補助具において、前記調湿補助具はシリコーンゴム製である。これにより、調湿シート保持部分に調湿シートをセットした場合には、シリコーンゴム製の透明な蓋部を通して裏面側の調湿シートの色の変化を視認することができる。
【００１４】
別態様に係る調湿補助具において、前記調湿補助具は、前記サウンドホールに密着した状態で取り付けられる。これにより、サウンドホールを遮蔽することができ、調湿効果がさらに向上するとともに、消音効果も期待することができる。
【００１５】
別態様に係る調湿補助具において、前記弦楽器はウクレレ、バイオリン、ビオラ、チェロまたはコントラバスである。これにより、ギター等の高価な弦楽器の割れを防ぐことができる。
【００１６】
別態様に係る調湿補助具において、前記サウンドホールは、円形またはｆ字形である。これにより、円形のサウンドホールを有するギターや、ｆ字形のサウンドホールを有するバイオリン等の弦楽器の割れを防ぐことができる。
【００１７】
また、本発明の一態様に係る調湿部材は、調湿補助具と調湿シートとを備えた調湿部材であって、前記調湿補助具は、前述の調湿補助具である。これにより、ギター等の弦楽器の調湿効果に優れる。
【００１８】
別態様に係る調湿部材において、前記調湿シートは、２枚の基材シートの間に、多数のシリカゲルの粒が層状に分布した調湿層が形成されてなる。これにより、調湿効果がさらに向上する。
【００１９】
別態様に係る調湿部材において、前記調湿シートは、調湿センサーを備えている。これにより、調湿センサーの色の変化を視認して、調湿の状態を確認することができる。
【００２０】
また、本発明の一態様に係る調湿方法は、弦楽器の胴体部に設けられたサウンドホールを覆った状態で、調湿シートを保持した調湿補助具を取り付けて弦楽器の調湿を行う調湿方法であって、前記調湿補助具は、前述の調湿補助具である。これにより、ギター等の弦楽器の調湿を効果的に行うことができる。
【００２１】
別態様に係る調湿方法において、前記調湿シートに予め水分を噴霧し、これを前記調湿シート保持部分にセットして弦楽器の調湿を行う。これにより、特に、湿度が低く乾燥しがちな冬場においても、胴体部の割れを充分に防ぐことができる。
【００２２】
＜実施形態＞
１．弦楽器
弦楽器としては特に限定はないが、例えば、ギター、ウクレレ等のいわゆる「ギター属」の弦楽器や、バイオリン、ビオラ、チェロ、コントラバス等のいわゆる「バイオリン属」の弦楽器等があげられる。
【００２３】
なお、ギターの種類は特に限定はなく、例えば、アコースティックギター、クラシックギター、フォークギター、フラメンコギター、エレクトリックアコースティックギター、リゾネーターギター等があげられる。
【００２４】
２．サウンドホール
サウンドホールの形状は、特に限定はないが、例えば、円形のサウンドホールや、ｆの文字をかたどったサウンドホール（以下、「ｆホール」と称する。）等があげられる。
【００２５】
以下に本発明の一態様である調湿補助具について、図面を参照しながら詳細に説明する。なお、本発明は、以下の実施形態に限定されるものではない。
【００２６】
まず、図８に示すように、弦楽器がギター２００であり、サウンドホールが円形のサウンドホール２０２である場合について説明する。
【００２７】
図１は本発明の実施形態に係る調湿補助具１００の正面図である。図２は調湿補助具１００の背面図（裏面図）、図３は調湿補助具１００の側面図、図４は調湿補助具１００の平面図、図５は調湿補助具１００の底面図、図６は図１に示した調湿補助具１００のＡ−Ａ′線断面図、図７は図１に示した調湿補助具のＢ−Ｂ′線断面図、図８は調湿補助具１００の取付け対象となるギター２００の斜視図である。
【００２８】
１．全体構成
主に、図１〜図８を用いて説明する。
本実施形態の調湿補助具１００は、略円形状の蓋部１０と、調湿シート保持部分３０を備えたドーナツ形状の枠部２０とを有する。
【００２９】
本実施形態の調湿補助具１００は、弦楽器（ここではギター２００）の中空状の胴体部（ボディ）２０１に設けられた円形のサウンドホール（共鳴孔）２０２を覆うように取り付けられる。図１及び図２に示す調湿補助具１００を、図８に示すサウンドホール２０２に取り付ける際には、蓋部１０を上側にし枠部２０をサウンドホール２０２に対向した状態で取り付ける。
以下、各部について説明する。
【００３０】
２．蓋部
主に、図１〜図７を用いて説明する。
蓋部１０は、サウンドホール２０２の外径よりも大きい略円形状のシート状であるが、Ｂ−Ｂ′線と平行の直線で切り欠かれた端部領域１１を有する。この端部領域１１は、図８に示すギター２００のネック２０３の端部２０４に近接もしくは当接した状態で、サウンドホール２０２に取り付けられる。
【００３１】
３．枠部
主に、図１〜図７を用いて説明する。
枠部２０は、蓋部１０に対して平行に設けられている。
枠部２０は、蓋部１０の裏面から見て、中心部が空洞のいわゆるドーナツ形状である。ここで、蓋部１０の裏面とは、サウンドホール２０２と直接接する側の平面、すなわちサウンドホール２０２と対向する側の平面をいう。
【００３２】
３−１．柱部分
枠部２０は、蓋部１０に対して平行に設けられている。
枠部２０は、図７に示すように、断面から見て、蓋部１０の裏面に対して略垂直に延設された柱部分２１を有する。
【００３３】
柱部分２１は枠部２０と蓋部１０とを連結する部材であり、蓋部１０の裏面に円柱状に形成されている。
【００３４】
円柱状の柱部分２１の内周面２２は、調湿シート保持部分３０の外径に相当する。
【００３５】
柱部分２１の外周面２３は、サウンドホール２０２の周縁と密着するように取り付けられる。また、柱部分２１の外周面２３の高さは、サウンドホール２０２を形成する胴体部２０１の板材２０５の厚みと略同じである。これにより、サウンドホール２０２の周縁に、円柱状の柱部分２１の外周面２３がきっちり嵌り、サウンドホール２０２を遮蔽することができる。したがって、サウンドホール２０２に本実施形態の調湿補助具１００を取付けて演奏をする場合には、消音効果を得ることもできる。なお、調湿効果は不要で消音効果のみを期待する場合には、調湿シート保持部分３０に調湿シート１（図９参照）をセットせずに、調湿補助具１００のみを使用してもよい。
【００３６】
３−２．固定部分
主に、図６及び図７を用いて説明する。
柱部分２１の他端（蓋部１０の反対側）の内周側には、外周側から内周側に向かって、蓋部１０と平行に延出した調湿シート１（図９参照）の固定部分２４が形成されている。これにより、調湿シート保持部分３０にセットした調湿シート１の落下を防止することができる。
【００３７】
３−３．テーパー部分
主に、図３〜図７を用いて説明する。
柱部分２１の他端（蓋部１０の反対側）の外周側には、内周側から外周側に向かって滑らかに傾斜するテーパー部分２５が形成されている。これにより、枠部２０のサウンドホール２０２への着脱が容易となる。
【００３８】
３．調湿シート保持部分
主に、図６及び図７を用いて説明する。
調湿シート保持部分３０は、円柱状の柱部分２１の内周面２２と、蓋部１０の裏面１２と、この裏面１２と対向する仮想面３１とで形成される円盤状の中空である。ここで、仮想面３１とは、固定部分２４の下面２４ａを裏面１２と平行に延出した平面をいう。この調湿シート保持部分３０に調湿シート１をセットした調湿部材を、サウンドホール２０２に取り付けてギター２００の調湿を行うことができる。
【００３９】
４．大きさ
４−１．蓋部
蓋部１０の外径は、サウンドホール２０２の外径よりも大きければ特に限定はないが、ここでは蓋部１０の外径は１２０ｍｍである。また、蓋部１０の厚みは特に限定はないが、ここでは２．５ｍｍである。
【００４０】
なお、サウンドホール２０２の大きさは、通常、ギターのメーカーによって異なるが、ここでの外径は９５ｍｍである。
【００４１】
４−２．枠部
枠部２０の大きさは、サウンドホール２０２内に挿入できる大きさであれば特に限定はないが、ここでは枠部２０の外径（ｄ２）は９８ｍｍである。
【００４２】
枠部２０の内径（ｄ１）は、調湿シート１を固定できればよく特に限定はないが、ここでは８０ｍｍである。
【００４３】
また、枠部２０のテーパー部分２５は、サウンドホール２０２の外径以上に拡径していることが好ましく、ここでは９８ｍｍから１０５ｍｍに拡径している。
【００４４】
固定部分２４の下面２４ａ（外周から内周に突出している箇所）の幅は、調湿シート保持部分３０にセットした調湿シート１を保持でき落下を防止できれば特に限定はないが、ここでは５ｍｍである。また、固定部分２４の厚みも特に限定はないが、ここでは３ｍｍである。
【００４５】
柱部分２１の外周面２３の高さは、サウンドホール２０２を形成する板材２０５の厚みと略同等が好ましく、ここでは３．５ｍｍである。
【００４６】
４−３．調湿シート保持部分
柱部分２１の内周面２２の高さ、すなわち調湿シート保持部分３０の高さは、調湿シート１の厚みと略同等が好ましく、ここでは６ｍｍである。
【００４７】
調湿シート保持部分３０の外径は、調湿シート１をセットできる大きさであれば特に限定はないが、ここでは９０ｍｍである。
【００４８】
５．材質
本実施形態の調湿補助具１００は、蓋部１０と枠部２０とが同一部材であっても、別部材であってもよいが、ここでは同一部材により蓋部１０と枠部２０とが一体成形されている。
【００４９】
本実施形態の調湿補助具１００の材質は特に限定はないが、ここではシリコーンゴム（硬度：Ｈｓ＝５０）である。
【００５０】
シリコーンゴムは透明であり視認性に優れるため、蓋部１０を通して裏面側の調湿シート保持部分３０にセットした調湿シート１の色の変化を視認することができ、調湿の度合いを知ることができる。
【００５１】
６．調湿部材
本実施形態の調湿部材は、調湿補助具（ここでは調湿補助具１００）と、調湿シートとを備えている。
以下、調湿シートについて詳述する。
【００５２】
７．調湿シート
主に、図９を用いて説明する。
図９は、本実施形態の調湿部材に使用する調湿シート１の概略構成を示す断面図である。
【００５３】
調湿シート１は、基材シート２と基材シート３とが重ね合わせられ、その重ね合わせられた面４，５同士の間に、多数の粒状をなすシリカゲル６が挟持されて調湿層９が形成されている。調湿シート１は、例えば、基材シート２と基材シート３との間に、多数の粒状をなすシリカゲル６を挟み、縫合や熱溶着等により固定して調湿層９を形成することにより作製することができる。
【００５４】
調湿シート１は可撓性で通気性を備え、内部に調湿機能を有する材料を備えている。
【００５５】
７−１．基材シート
基材シート２，３は、特に限定はないが、通気性を備え、空気や湿分を透過可能なものが好ましく、例えば不織布、織布、編物等が用いられる。基材シート２，３の材質としては、例えば、ポリエチレンテレフタレート（ＰＥＴ）等のポリエステル樹脂、ポリプロピレン樹脂等の合成樹脂、レーヨン等が使用できる。基材シート２はウェブ７の集合体であり、同じく基材シート３はウェブ８の集合体である。
【００５６】
７−２．調湿層
調湿層９の材質は、調湿機能を有するものであれば特に限定はなく、例えば、シリカゲルや、ゼオライト、トルマリン等の天然多孔石、備長炭等の炭材や活性炭、パーライト、ケイ酸ソーダ等が挙げられる。これらは単独でもしくは２種以上併用することができる。これらのなかでも、調湿機能や消臭機能に優れ、即効性がある点でシリカゲルが好適に用いられる。シリカゲルは水分の他に空気中に飛散する臭いの元であるアンモニア、トリメチルアミン、硫化水素、メルカプタンや、加齢臭の原因となるノネナールガス等も吸着し消臭機能をも有する。
【００５７】
調湿層９は、図９に示すように、基材シート２，３間において層状（図では４層）をなし、基材シート２，３の対向面４，５間に全体に亘り均一に分布してなる多数のシリカゲル６の集合体である。シリカゲル６を上下両側から矜持した状態において、基材シート２，３の対向面４，５は、図９において拡大して示すように、基材シート２，３の構成素材であるウェブ７，８により互いに縫合されている。
【００５８】
シリカゲル６を固定するために、基材シート２と基材シート３との重合部分にはシリカゲル６を上下両側から挟持した状態においてニードルパンチが複数箇所に亘って施されている。すなわち各ニードルパンチの箇所において基材シート２と基材シート３のウェブ７，８同士が機械的に絡み合うことにより、その絡み合った各箇所付近に基材シート２と基材シート３とが接合され固定されている。これにより、ウェブ７，８により対向面１４と対向面１５との間が縫合された基材シート２と基材シート３にてシリカゲル６は層状をなしたまま移動不能に挟着保持されている。
【００５９】
シリカゲル６の粒は、多数の微細貫通孔を有しており、高湿度雰囲気下では表面吸着又は毛細管現象により空気中の水分を吸収し、乾燥雰囲気下では吸収した水分を放出し得る機能を有している。そのため、かかる調湿機能及び放湿機能を良好にするべく、本実施形態におけるシリカゲル６には微細空間容積が０．５〜１．０ｍｌ／ｇ及び表面積が６５０〜３５０ｍ２／ｇの範囲内にあるものが採用されている。
【００６０】
また、微細貫通孔の孔径は３０〜１２０オングストロームのものが調湿機能等を良好に発揮する上で好ましい。
【００６１】
このように、多数のシリカゲル６の粒が基材シート２と基材シート３とに挟持されることで、高い調湿性、防湿性、消臭性を長時間に亘って保つことができる。
【００６２】
調湿シート１の寸法は、調湿シート保持部分３０の寸法に応じて、適宜設定される。調湿シート１の厚みは、ここでは６ｍｍである。
【００６３】
調湿シート１は、天日に干すと調湿機能が再生し、繰り返し使用することができる。
【００６４】
７−３．調湿センサー
調湿シート１には、調湿センサーを設けることができる。
【００６５】
調湿センサーは、例えば塩化コバルトを表面に所定量塗布したものである。塩化コバルトが無水の場合は青色であり、雰囲気中の湿度が増して二水和物となると紫色になり、さらに湿度が増えると六水和物となって桃色となる。この変色を人が視認することで調湿の度合いを知ることができる。
【００６６】
湿度が低く乾燥しがちな冬場においては、調湿シート１に霧吹き等で水分を噴霧して、調湿センサーが桃色になったのを確認してから、調湿シート保持部分３０にセットして使用することが好ましい。変色によって調湿の具合が小さくなったと判断すれば、霧吹き等で水分を噴霧して、色の変化を参考に湿らせることができる。
【００６７】
調湿センサーを設ける位置については特に限定はないが、調湿シート１の中央部ではなく、周辺部に設けることが好ましい。調湿センサーが蓋部１０を通して見えるように、調湿センサーを上側にして、調湿シート１を調湿シート保持部分３０にセットすることが好ましい。
【００６８】
８．調湿方法
本実施形態の調湿部材は、弦楽器（ここではギター２００）の中空状の胴体部２０１に設けられたサウンドホール２０２と、胴体部２０１の上に張架された複数の弦２０６との間から、サウンドホール２０２を覆う状態で取り付けられる。具体的には、調湿シート１を準備し、この調湿シート１を調湿シート保持部分３０内に挿入し、調湿シート１側を胴体部２０１内側に向けて、蓋部１０でサウンドホール２０２を覆う状態で取り付けられる。特に湿気が低く乾燥しやすい冬場に使用する場合には、霧吹き等で調湿シート１に水分を噴霧して、予め湿度を高めた状態で使用することが好ましい。
【００６９】
＜変形例＞
以上、一実施形態に係る調湿補助具を説明したが、本発明はこの実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本発明に含まれる。
【００７０】
１．柱部分
実施形態では、柱部分２１の外周面２３は、サウンドホール２０２の周縁と密着していて、サウンドホール２０２を遮蔽しているが、多少の隙間があっても差し支えない。
【００７１】
２．蓋部
実施形態の蓋部１０は、Ｂ−Ｂ′線と平行の直線で切り欠かれた端部領域１１を有するが、端部領域１１のない円形状であっても差し支えない。
【００７２】
また、蓋部１０は、サウンドホール２０２を覆うことができれば、円形状に限定されるものではなく、四角形状、三角形状等の多角形状であっても差し支えない。
【００７３】
３．枠部
実施形態の枠部２０は、蓋部１０と平行に設けられているが、蓋部１０に対して垂直に設けてもよい。すなわち、調湿シート保持部分３０を蓋部１０に対して垂直に形成し、ここに調湿シート１を保持するようにしてもよい。
【００７４】
４．弦楽器
実施形態では弦楽器としてギター２００を使用したが、これに限定されず、図１０に示すようにバイオリン３００にも適用できる。なお、図において３０１は胴体部、３０３はネックである。
【００７５】
また、実施形態に係る調湿補助具はウクレレ、ビオラ、チェロ、コントラバス等の弦楽器にも適用できる。
【００７６】
５．サウンドホール
実施形態では円形のサウンドホール２０２について説明したが、サウンドホールの形状は特に限定はなく、例えば図１０に示すように、ｆの文字をかたどったｆホール３０２等でもよく、もしくは楕円等の形状であってもよい。
【００７７】
また、実施形態ではサウンドホールの数が１個の場合について説明したが、サウンドホールの数も特に限定はなく、例えば図１０に示すように２個であってもよく、もしくは３個以上であってもよい。
【符号の説明】
【００７８】
１  調湿シート
１０  蓋部
２０  枠部
３０  調湿シート保持部分
１００  調湿補助具
２００  ギター
２０１  胴体部
【図１】
2019168120.tif 000003
【図２】
2019168120.tif 000004
【図３】
2019168120.tif 000005
【図４】
2019168120.tif 000006
【図５】
2019168120.tif 000007
【図６】
2019168120.tif 000008
【図７】
2019168120.tif 000009
【図８】
2019168120.tif 000010
【図９】
2019168120.tif 000011
【図１０】
2019168120.tif 000012
【国際調査報告】
2019168120.tif 000013
2019168120.tif 000014
2019168120.tif 000015